(57)【要約】【課題】複数のテーブルを組み合わせて並べたときに様々なレイアウトを得ることができる、テーブル用天板及びテーブルを提供する。【解決手段】テーブル用天板(2)は、ほぼ四角形の平面形状を有するテーブル用天板であって、テーブル用天板の４つの内角α、β、γ、δの内、第１の組の対角α及びγは何れも９０°であり、第２の組の対角β及びγのうちβは鈍角、δは鋭角である。また、第１の組の対角α及びγのうちαを挟む辺(6)及び辺(8)の長さＡ及びＢは等しく、第１の組の対角α及びγのうちγを挟む辺(10)及び辺(12)の長さＣ及びＤは異なる。【選択図】図２
2015092910.tif 000002
【特許請求の範囲】
【請求項１】
ほぼ四角形の平面形状を有するテーブル用天板であって、
前記テーブル用天板の４つの内角の内、第１の組の対角は何れも９０°であり、第２の組の対角は鋭角及び鈍角である、
ことを特徴とするテーブル用天板。
【請求項２】
前記第１の組の対角の一方を挟む２辺の長さは等しく、この第１の組の対角の他方を挟む２辺の長さは異なる、
請求項１に記載のテーブル用天板。
【請求項３】
前記第１の組の対角の他方を挟む２辺の長さの比は、１対２である、
請求項２に記載のテーブル用天板。
【請求項４】
請求項１乃至３のいずれか１項に記載の天板を有するテーブル。
【発明の詳細な説明】
【技術分野】
【０００１】
本発明は、テーブル用天板及びテーブルに関し、特に、ほぼ四角形の平面形状を有するテーブル用天板及びテーブルに関する。
【背景技術】
【０００２】
従来から、テーブルを単独で使用するだけではなく、ミーティング等において複数のテーブルを組み合わせて使用することが行なわれている。そして、複数のテーブルを組み合わせて並べたときに様々なレイアウトを得られるようにする天板形状が提案されている。
【０００３】
例えば、横方向への直線レイアウトだけでなく、円形レイアウトやＵ字レイアウトなど種々レイアウトも行なえるようにしたテーブルが提案されている（特許文献１）。この特許文献１のテーブルでは、平面視において天板の前辺と後辺とが平行であり、左右側辺は、前辺に直交する直線辺と後辺に鈍角をもって交わる傾斜辺とが連続しており、天板が六角形状をなしている。
【先行技術文献】
【特許文献】
【０００４】
【特許文献１】特開２０１２−１８７３３６号公報
【発明の概要】
【発明が解決しようとする課題】
【０００５】
しかしながら、特許文献１に記載されているような従来のテーブルでは、直線レイアウト、円形レイアウト、あるいはＵ字レイアウトを形成するようにテーブルを並べることはできても、さらに多くのレイアウトのバリエーションを得ることは難しく、昨今の様々なオフィスレイアウトのニーズに対応しにくい。
【０００６】
本発明は、上述した従来技術の問題点を解決するためになされたものであり、複数のテーブルを組み合わせて並べたときに様々なレイアウトを得ることができる、テーブル用天板及びテーブルを提供することを目的とする。
【課題を解決するための手段】
【０００７】
上記の目的を達成するために、本発明のテーブル用天板は、ほぼ四角形の平面形状を有するテーブル用天板であって、テーブル用天板の４つの内角の内、第１の組の対角は何れも９０°であり、第２の組の対角は鋭角及び鈍角であることを特徴とする。
このように構成された本発明においては、本発明の天板を有する複数のテーブルを並べたときに互いに隣接する各テーブル用天板の角の組み合わせ方に応じて、連続する直線状の縁を形成し、あるいは、折れ曲がった縁を形成することができるので、複数のテーブルを組み合わせて並べたときに様々なレイアウトを得ることができる。
【０００８】
また、本発明において、第１の組の対角の一方を挟む２辺の長さは等しく、この第１の組の対角の他方を挟む２辺の長さは異なる。
このように構成された本発明においては、本発明の天板を有する複数のテーブルを並べるときに、テーブル用天板の各辺を様々な組み合わせで互いに向かい合わせることができるので、複数のテーブルを組み合わせて並べたときに、より多くのレイアウトを得ることができる。
【０００９】
また、本発明において、第１の組の対角の他方を挟む２辺の長さの比は、１対２である。
このように構成された本発明においては、本発明の天板を有する複数のテーブルを組み合わせて並べたときに様々なレイアウトを得ることができると共に、テーブルを単独で使用するときに、テーブルの各辺に着席する使用者同士の好ましい距離感を得ることができる。
【発明の効果】
【００１０】
本発明によるテーブル用天板及びテーブルによれば、複数のテーブルを組み合わせて並べたときに様々なレイアウトを得ることができる。
【図面の簡単な説明】
【００１１】
【図１】本発明の実施形態によるテーブル用天板を備えたテーブルを斜め上方から見た斜視図である。
【図２】本発明の実施形態によるテーブルの平面図である。
【図３】本発明の実施形態によるテーブルを２台組み合わせたレイアウトを示す平面図である。
【図４】本発明の実施形態によるテーブルを２台組み合わせたレイアウトを示す平面図である。
【図５】本発明の実施形態によるテーブルを２台組み合わせたレイアウトを示す平面図である。
【図６】本発明の実施形態によるテーブルを２台組み合わせたレイアウトを示す平面図である。
【図７】本発明の実施形態によるテーブルを４台組み合わせたレイアウトを示す平面図である。
【図８】本発明の実施形態によるテーブルを４台組み合わせたレイアウトを示す平面図である。
【図９】本発明の実施形態によるテーブルを４台組み合わせたレイアウトを示す平面図である。
【図１０】本発明の実施形態によるテーブルを４台組み合わせたレイアウトを示す平面図である。
【図１１】本発明の実施形態によるテーブルを４台組み合わせたレイアウトを示す平面図である。
【図１２】本発明の実施形態によるテーブルを４台組み合わせたレイアウトを示す平面図である。
【図１３】本発明の実施形態によるテーブルを４台組み合わせたレイアウトを示す平面図である。
【図１４】本発明の実施形態によるテーブルを４台組み合わせたレイアウトを示す平面図である。
【図１５】本発明の実施形態によるテーブルを５台組み合わせたレイアウトを示す平面図である。
【図１６】本発明の実施形態によるテーブルを６台組み合わせたレイアウトを示す平面図である。
【図１７】本発明の実施形態によるテーブルを６台組み合わせたレイアウトを示す平面図である。
【図１８】本発明の実施形態によるテーブルを８台組み合わせたレイアウトを示す平面図である。
【図１９】本発明の実施形態による天板２の正面図である。
【図２０】本発明の実施形態による天板２の背面図である。
【図２１】本発明の実施形態による天板２の右側面図である。
【図２２】本発明の実施形態による天板２の左側面図である。
【図２３】本発明の実施形態による天板２の平面図である。
【図２４】本発明の実施形態による天板２の底面図である。
【発明を実施するための形態】
【００１２】
以下、添付図面を参照して、本発明の実施形態によるテーブル用天板及びテーブルを説明する。
まず、図１及び図２により、本発明の実施形態によるテーブル用天板及びテーブルについて説明する。図１は本発明の実施形態によるテーブル用天板を備えたテーブルを斜め上方から見た斜視図であり、図２は本発明の実施形態によるテーブル用天板の平面図である。
【００１３】
図１に示すように、テーブル１は、四角形の天板２と、天板２の下面に取り付けられる４本の脚４とを備えている。
図２に示すように、天板２は、平面視において、ほぼ四角形の平面形状を有し、四角形の４つの辺（縁）はいずれも直線状である。この四角形の天板２の４つの内角α、β、γ、δの内、対角α及びγ（以下、「第１の組の対角」という）は何れも９０°であり、対角β及びγ（以下、「第２の組の対角」という）のうちβは鈍角、δは鋭角である。
【００１４】
また、第１の組の対角α及びγのうちαを挟む辺６及び辺８の長さＡ及びＢは等しく、第１の組の対角α及びγのうちγを挟む辺１０及び辺１２の長さＣ及びＤは異なっている。特に、第１の組の対角α及びγのうちγを挟む辺１０及び辺１２の長さＣ及びＤの比は、Ｃ：Ｄ＝１：２となっている。これにより、テーブル１を単独で使用するときに、テーブル１の各辺に着席する使用者同士の好ましい距離感を得ることができる。
天板２のサイズは任意であるが、例えば、第１の組の対角α及びγのうちγを挟む２辺１０、１２のうち短い辺１０の長さＣは、７００ｍｍから９００ｍｍの範囲内であり、好ましくは８００ｍｍである。
【００１５】
次に、図３乃至図１８により、本発明の実施形態による複数のテーブル１を組み合わせたレイアウトを説明する。図３乃至図６は、テーブル１を２台組み合わせたレイアウトを示す平面図であり、図７乃至図１４は、テーブル１を４台組み合わせたレイアウトを示す平面図であり、図１５は、テーブル１を５台組み合わせたレイアウトを示す平面図であり、図１６及び図１７は、テーブル１を６台組み合わせたレイアウトを示す平面図であり、図１８は、テーブル１を８台組み合わせたレイアウトを示す平面図である。
【００１６】
図３のレイアウトでは、２台のテーブル１のうち一方のテーブル１の天板２の辺６と、他方のテーブル１の天板２の辺８とが当接している。上記のように、辺６の長さＡと辺８の長さＢとは等しいので、隣接する２台の天板２の角の位置は一致している。また、上記のように、第１の組の対角α及びγはそれぞれ９０°であるので、図３のレイアウトで隣接する２台の天板２の角α及びγの和は１８０°であり、隣接する２台の天板２の角β及びγの和も１８０°である。これにより、図３のレイアウトでは、２台のテーブル１の天板２により台形が形成される。
【００１７】
図４のレイアウトでは、２台のテーブル１のそれぞれの天板２の辺１０同士が当接している。また、図５のレイアウトでは、２台のテーブル１のそれぞれの天板２の辺６同士が当接している。また、図６のレイアウトでは、２台のテーブル１のそれぞれの天板２の辺１２同士が当接している。
【００１８】
図７乃至図９のレイアウトは、図３に示したレイアウトを２組用いて構成したレイアウトである。
図７のレイアウトは、図３に示したレイアウトを２組並べるときに、図３のレイアウトにおいて連続する辺６及び辺８により形成された直線同士を向かい合わせることで構成される。この図７のレイアウトでは、連続する辺１０及び辺１２により形成された、長さがＣ＋Ｄの直線を１辺とする正方形が形成される。
【００１９】
図８のレイアウトは、図３に示したレイアウトを２組並べるときに、図３のレイアウトにおいて連続する辺１０及び辺１２により形成された直線同士を向かい合わせることで構成される。この図８のレイアウトでは、平行四辺形が形成される。
【００２０】
図９のレイアウトは、図３に示したレイアウトを２組並べるときに、図３に示した各レイアウトの台形の１辺を成す辺１２を向かい合わせることで構成される。
【００２１】
図１０のレイアウトは、図４に示したレイアウトと、図５に示したレイアウトとを用いて構成したレイアウトである。具体的には、図４に示したレイアウトの外縁の一部を形成する辺８及び辺１２と、図５に示したレイアウトの外縁の一部を形成する辺８及び辺１２とを向かい合わせることで、図１０のレイアウトが形成される。この図１０のレイアウトの中央部で互いに隣接する４台の天板２の角は、α、β、γ、δであり、各角の合計は３６０°である。即ち、図１０のレイアウトを構成する４台のテーブル１の天板２は、互いに隙間なく隣接している。
【００２２】
図１１のレイアウトは、図５に示したレイアウトを２組用いて構成したレイアウトである。具体的には、図５に示したレイアウトを２組並べるときに、図５に示した各レイアウトの辺１０同士を向かい合わせることで、図１１のレイアウトが形成される。
【００２３】
図１２のレイアウトは、図６に示したレイアウトを２組用いて構成したレイアウトである。具体的には、図６に示したレイアウトを２組並べるときに、図６に示した各レイアウトの辺８同士を向かい合わせることで、図１２のレイアウトが形成される。
【００２４】
図１３のレイアウトは、４台のテーブル１を、各テーブル１の天板２の角γが互いに隣接するように並べたレイアウトである。上記のように、角γは９０°であるので、図１３のレイアウトを構成する４台のテーブル１の各天板２の角γは、互いに隙間なく隣接している。
【００２５】
図１４のレイアウトは、４台のテーブル１を、各テーブル１の天板２の辺１０が隣接する天板２の辺１２に当接するように並べたレイアウトである。さらに、図１４のレイアウトでは、隣接する天板２の辺６と辺８とが連続する縁を形成するように、各天板２が配置されている。隣接する２台の天板２の角β及びγの和は１８０°であるので、隣接する２台の天板２の辺６と辺８とで形成される縁は直線を成している。また、図１４のレイアウトでは、外周の４つの角部に角α（＝９０°）が位置しており、外形が正方形となっている。また、図１４のレイアウトの中央部には、４台の天板２の各辺１２により囲まれた正方形の空間が形成される。
【００２６】
図１５のレイアウトは、５台のテーブル１を、各テーブル１の天板２の角δが互いに隣接するように並べたレイアウトである。角δはほぼ７２°であるので、５台の天板２の角δの和はほぼ３６０°である。即ち、図１５のレイアウトを構成する５台のテーブル１の各天板２の角γは、互いにほぼ隙間なく隣接している。
【００２７】
図１６のレイアウトは、図１０に示したレイアウトに、図５に示したレイアウトを加えて構成したレイアウトである。具体的には、図１０に示したレイアウトの外縁の一部を形成する辺８及び辺１２と、図５に示したレイアウトの外縁の一部を形成する辺８及び辺１２とを向かい合わせることで、図１６のレイアウトが形成される。これらの図１０のレイアウトと図５のレイアウトとの接続部の中央で互いに隣接する４台の天板２の角は、α、β、γ、δであり、各角の合計は３６０°である。従って、図１６のレイアウトを構成する６台のテーブル１の天板２は、互いに隙間なく隣接している。
【００２８】
図１７のレイアウトは、図１０に示したレイアウトに、図６に示したレイアウトを加えて構成したレイアウトである。具体的には、図１０に示したレイアウトの外縁の一部を形成する辺６及び辺１０と、図６に示したレイアウトの外縁の一部を形成する辺６及び辺１０とを向かい合わせることで、図１７のレイアウトが形成される。これらの図１０のレイアウトと図６のレイアウトとの接続部の中央で互いに隣接する４台の天板２の角は、α、β、γ、δであり、各角の合計は３６０°である。従って、図１７のレイアウトを構成する６台のテーブル１の天板２は、互いに隙間なく隣接している。
【００２９】
図１８のレイアウトは、図３に示したレイアウトを４組用いて構成したレイアウトである。具体的には、図３に示したレイアウトの外縁の１辺を形成する辺１０と、図３に示したレイアウトの外縁の１辺の一部を形成する辺１０とが向かい合うように、図３に示したレイアウト４組を配置する。これにより、８台のテーブル１を用いて略四角形の枠形のレイアウトが形成される。また、図１８のレイアウトの中央部には、４台の天板２の各辺１２により囲まれた正方形の空間が形成される。
【００３０】
次に、上述した本発明の実施形態によるテーブル用天板２の作用効果を説明する。
まず、本発明の実施形態によれば、テーブル用天板２の４つの内角α、β、γ、δの内、第１の組の対角α及びγは何れも９０°であり、第２の組の対角β及びγのうちβは鈍角、δは鋭角であるので、複数のテーブル１を並べたときに互いに隣接する各テーブル用天板２の角α、β、γ、δの組み合わせ方に応じて、連続する直線状の縁を形成し、あるいは、折れ曲がった縁を形成することができ、これにより、複数のテーブル１を組み合わせて並べたときに様々なレイアウトを得ることができる。
【００３１】
特に、第１の組の対角α及びγのうちαを挟む辺６及び辺８の長さＡ及びＢは等しく、第１の組の対角α及びγのうちγを挟む辺１０及び辺１２の長さＣ及びＤは異なるので、複数のテーブル１を並べるときに、テーブル用天板２の各辺６、８、１０、１２を様々な組み合わせで互いに向かい合わせることができ、これにより、複数のテーブル１を組み合わせて並べたときに、より多くのレイアウトを得ることができる。
【００３２】
また、第１の組の対角α及びγのうちγを挟む辺１０及び辺１２の長さＣ及びＤの比は、１対２であるので、複数のテーブル１を組み合わせて並べたときに様々なレイアウトを得ることができると共に、テーブル１を単独で使用するときに、テーブル１の各辺６、８、１０、１２に着席する使用者同士の好ましい距離感を得ることができる。
【００３３】
図１９乃至図２４により、本発明の実施形態による天板２の全体形状を示す。
図１９は、本発明の実施形態による天板２の正面図であり、図２０は、本発明の実施形態による天板２の背面図であり、図２１は、本発明の実施形態による天板２の右側面図であり、図２２は、本発明の実施形態による天板２の左側面図であり、図２３は、本発明の実施形態による天板２の平面図であり、図２４は、本発明の実施形態による天板２の底面図である。図１９乃至図２４においては、本発明による天板２に関し、形状に特徴のある部分を実線で表し、残りの部分を破線で表している。
【００３４】
以上、本発明の実施形態を説明したが、本発明の具体的な構成及び手段は、特許請求の範囲に記載した各発明の技術的思想の範囲内において、任意に改変及び改良することができる。
【００３５】
まず、上記の説明では、図３乃至図１８により、本発明の実施形態による複数のテーブル１を組み合わせたレイアウトを例示したが、これらの図３乃至図１８のレイアウトとは異なるレイアウトとなるようにテーブル１を組み合わせることもできる。
【００３６】
また、図２に示した天板２と鏡面対称の形状を有する天板を用いることもできる。この場合、図２の天板２と鏡面対称の形状を有する天板を備えた複数のテーブルを組み合わせて並べることで、図３乃至図１８のレイアウトとは異なるレイアウトを得ることができる。さらに、図２の天板２と鏡面対称の形状を有する天板を備えたテーブルと、図２に示した天板２を備えたテーブル１とを組み合わせて並べてもよい。
【００３７】
また、上記の説明では、第１の組の対角α及びγのうちγを挟む辺１０及び辺１２の長さＣ及びＤの比は、Ｃ：Ｄ＝１：２となっている場合を説明したが、これとは異なる比となるようにしてもよい。
【符号の説明】
【００３８】
１  テーブル
２  天板
４  脚
６、８、１０、１２  辺
α、β、γ、δ  角
Ａ、Ｂ、Ｃ、Ｄ  辺の長さ
【図１】
2015092910.tif 000003
【図２】
2015092910.tif 000004
【図３】
2015092910.tif 000005
【図４】
2015092910.tif 000006
【図５】
2015092910.tif 000007
【図６】
2015092910.tif 000008
【図７】
2015092910.tif 000009
【図８】
2015092910.tif 000010
【図９】
2015092910.tif 000011
【図１０】
2015092910.tif 000012
【図１１】
2015092910.tif 000013
【図１２】
2015092910.tif 000014
【図１３】
2015092910.tif 000015
【図１４】
2015092910.tif 000016
【図１５】
2015092910.tif 000017
【図１６】
2015092910.tif 000018
【図１７】
2015092910.tif 000019
【図１８】
2015092910.tif 000020
【図１９】
2015092910.tif 000021
【図２０】
2015092910.tif 000022
【図２１】
2015092910.tif 000023
【図２２】
2015092910.tif 000024
【図２３】
2015092910.tif 000025
【図２４】
2015092910.tif 000026